(57)【要約】【課題】オットマンを座部下方から速やかに且つ省スペースで出し入れ可能なマッサージ機を提供する。【解決手段】使用者が着座する座部１と、座部１に着座した使用者の下腿部分を保持するための下腿保持面を有するオットマン２と、オットマン２を座部１下方に収納自在に支持する収納支持機構とを具備するマッサージ機である。上記収納支持機構は、収納時には下腿保持面が下方を向く姿勢でオットマン２を座部１下方に収納させ、使用時には、オットマン２を座部１下方から前方に移動させるとともに下腿保持面が前方を向くように回転させる。【選択図】図１
2010075421.tif 000002
【特許請求の範囲】
【請求項１】
使用者が着座する座部と、座部に着座した使用者の下腿部分を保持するための下腿保持面を有するオットマンと、オットマンを座部下方に収納自在に支持する収納支持機構とを具備するマッサージ機であって、上記収納支持機構は、収納時には下腿保持面が下方を向く姿勢でオットマンを座部下方に収納させ、使用時には、オットマンを座部下方から前方に移動させるとともに下腿保持面が前方を向くように回転させるものであることを特徴とするマッサージ機。
【請求項２】
上記収納支持機構は、座部下方から前方にスライド自在であり且つオットマンを回転自在に支持するスライドフレームと、スライドフレームの前方へのスライドに連動してオットマンを回転させる回転駆動手段とから成ることを特徴とする請求項１記載のマッサージ機。
【請求項３】
上記回転駆動主段は、オットマンと座部をつなぐ連結部材から成ることを特徴とする請求項２に記載のマッサージ機。
【請求項４】
上記オットマンの使用時に上端側となる部分に、凹状の切り欠き部分を形成してあることを特徴とする請求項１〜３のいずれか一項に記載のマッサージ機。
【発明の詳細な説明】
【技術分野】
【０００１】
本発明は、座部とオットマンを備えたマッサージ機に関する。
【背景技術】
【０００２】
使用者に対して着座姿勢のままマッサージを施すことのできるマッサージ機として、使用者が着座する座部と、座部に着座した姿勢にある使用者の下腿部分を保持するオットマンとを備えたものが、従来から利用されている。
【０００３】
上記オットマンは使用時以外には邪魔となることも多く、その場合にはオットマンをコンパクトに収納できることが望まれる。これに対して、例えば特許文献１には、座部下方の空間を利用してオットマンを収納する技術が開示されている。
【０００４】
このオットマン収納の技術は図１１に示すような技術である。図中の右側に示すように、収納時には、オットマン２をその下腿保持面が上方を向く姿勢に保持したままで、座部１下方に位置させる。そして、オットマン２を使用する場合には、オットマン２全体をその姿勢のままいったん前方に押し出してゆき、オットマン２全体が座部１前方に露出するまで移動した後に、オットマン２の後端部を上方に起こす（図中の左向き矢印の順）。この二ステップを経ることにより、オットマン２は使用状態にセットされる。
【０００５】
しかし、特許文献１に開示される技術では、オットマン２を座部１下方から出し入れするために、座部１前方に大きな移動スペースが必要となる。そのため、マッサージ機を設置できるような周辺環境が制限されるという問題や、着座したままではオットマン２を出し入れする際に該オットマン２に足が当たってしまうという問題がある。また、オットマン２の出し入れ動作が二ステップ必要となり、オットマン２を速やかに出し入れすることができないという問題もある。
【特許文献１】特開２００７−７５５９０号公報
【発明の開示】
【発明が解決しようとする課題】
【０００６】
本発明は上記問題点に鑑みて発明したものであって、オットマンを座部下方から速やかに且つ省スペースで出し入れ可能なマッサージ機を提供することを、課題とする。
【課題を解決するための手段】
【０００７】
上記課題を解決する本発明は、使用者が着座する座部１と、座部１に着座した使用者の下腿部分を保持するための下腿保持面５を有するオットマン２と、オットマン２を座部１下方に収納自在に支持する収納支持機構２７とを具備するマッサージ機である。上記収納支持機構２７は、収納時には下腿保持面５が下方を向く姿勢でオットマン２を座部１下方に収納させ、使用時には、オットマン２を座部１下方から前方に移動させるとともに下腿保持面５が前方を向くように回転させるものである。
【０００８】
このようにすることで、座部１下方に収納してあるオットマン２を前方に出現させる際には、該オットマン２の前端側を持ち上げながら前進させることで、座部１の前端部分を迂回するように回転させて使用状態にセットすることができる。したがって、使用者の脚部に当たることなく、また大きなスペースを要することもなく、オットマン２を使用状態まで円滑にセットすることが可能となる。
【０００９】
また、上記収納支持機構２７は、座部１下方から前方にスライド自在であり且つオットマン２を回転自在に支持するスライドフレーム１４と、スライドフレーム１４の前方へのスライドに連動してオットマン２を回転させる回転駆動手段２２とから成ることが好ましい。このようにすることで、スライドフレーム１４によってオットマン２を確実に支持したうえで、オットマン２の前後方向へのスライド運動と回転運動を、ともに実現することができる。
【００１０】
更に、上記回転駆動主段２２は、オットマン２と座部１をつなぐ連結部材２３から成ることが好ましい。このようにすることで、オットマン２と座部１をつなぐといったシンプルな構成により、オットマン２のスライドと回転を速やかに実現することができる。
【００１１】
また、上記オットマン２の使用時に上端側となる部分には、凹状の切り欠き部分１０を形成してあることが好ましい。このようにすることで、使用中やオットマン２の出し入れの最中に、使用者のふくらはぎ部分が下腿保持部Ａに当たって不快感を与えることが防止される。
【発明の効果】
【００１２】
請求項１に係る発明は、座部下方に収納してあるオットマンを、座部の前端部分を迂回するように回転させて使用状態にセットすることができ、オットマンの出し入れが速やかに且つ省スペースで実現されるという効果を奏する。
【００１３】
また請求項２に係る発明は、請求項１に係る発明の効果に加えて、スライドフレームによってオットマンを確実に支持させたうえで、このスライドフレームを介して、オットマンの前後スライドと回転運動をともに実現することができるという効果を奏する。
【００１４】
また請求項３に係る発明は、請求項２に係る発明の効果に加えて、オットマンと座部を連結部材でつなぐといったシンプルな構成により、オットマンのスライドに連動した回転運動を確実に実現することができるという効果を奏する。
【００１５】
また請求項４に係る発明は、請求項１〜３のいずれか一項に係る発明の効果に加えて、使用者に下腿保持部が当たって不快感を与えることを防止し、快適なマッサージを実現することができるという効果を奏する。
【発明を実施するための最良の形態】
【００１６】
本発明を添付図面に示す実施形態に基づいて説明する。図１〜図４には本発明の実施形態における一例のマッサージ機の外観を示しており、図５〜図１０には、一例のマッサージ機のフレーム構造を示している。以下、まず図１〜図４に示す一例のマッサージ機の基本的な構成やその挙動について説明し、次いで、図５〜図１０に示す特徴部分の具体的な構造について詳述する。
【００１７】
図１〜図４に示すように、一例のマッサージ機は椅子型（ソファー型）のものであって、使用者（図示せず）が着座する座部１と、座部１に着座した姿勢にある使用者の左右両脚部を保持するオットマン２と、着座姿勢にある使用者が背中をもたれ掛ける背もたれ部３と、着座姿勢にある使用者が肘先部分を置くことのできる左右の肘かけ部４とを備えている。本文中で用いる前後、左右等の各方向は、着座姿勢にある使用者からみた方向を基準とする。
【００１８】
一例のマッサージ機には、着座姿勢にある使用者にマッサージを施すための施療手段が備えてある。上記施療手段は図示していないが、例えば背もたれ部３に配置した施療子等を駆動させて使用者の肩、背、腰等にマッサージを施す構造のものや、座部１に配置したエアバッグ等を駆動させて使用者の臀部にマッサージを施す構造のものや、オットマン２に配置したエアバッグ等を駆動させて使用者の脚部にマッサージを施す構造のものが、好適に用いられる。勿論、他の構造の施療手段を備えてもよい。
【００１９】
本発明において上記オットマン２は、使用者の脚部のうち、下腿部分を保持するための下腿保持面５を有する下腿保持部Ａと、足先部分を保持するための足先保持面６を有する足先保持部Ｂとを、別体に設けたものである。ここでの「下腿部分」は膝から足首までの部分を意味し、「足先部分」は足首から先の部分を意味する。
【００２０】
図４に示すように、下腿保持部Ａは、下腿部分の裏側（ふくらはぎ）が当たる下腿保持面５を左右に一対設けたものである。下腿保持部Ａにおいて左右の下腿保持面５に挟まれる部分からは隔壁７を立設し、左右の下腿保持面５の外方の端部からはそれぞれ外壁８を立設している。隔壁７と外壁８はともに下腿保持面５の向く方向に立設している。したがって、隔壁７と外壁８とに挟まれる下腿保持面５は、下腿保持部Ａに設けた左右一対の凹溝の底面のような形状となっている。言い換えると、下腿保持部Ａは全体として、下腿保持面５を有する基板部分から隔壁７と外壁８をＥ字状に立設した外形となっている。
【００２１】
また、下腿保持部Ａにおいて、図４に示すように使用時に上端側となる部分には、左右一対の切り欠き部分１０を凹状に形成してある。切り欠き部分１０は、左右の下腿保持面５の上端側を切り欠くように設けており、切り欠き部分１０を設けたことで、隔壁７や外壁８に比べて下腿保持面５の上端の位置を低くしている。
【００２２】
足先保持部Ｂは、左右両側の足先部分の足裏が当たるように足先保持面６を設け、該足先保持面６の左右両端側から外壁９を立設したものである。外壁９は足先保持面６が向く方向に立設しており、足先保持部Ｂ全体としては、下腿保持面５を有する基板部分から外壁９をコ字状に立設した外形となっている。
【００２３】
上記構成の下腿保持部Ａと足先保持部Ｂから成るオットマン２は、下腿保持部Ａの一部（使用時に上端側となる部分）が、足先保持部Ｂの左右の外壁９間に収まり、コンパクト化された状態（以下「収納状態」という。）で、座部１の下方空間内に収納される。
【００２４】
図１（ａ）や図２には、オットマン２を収納状態で座部１下方に隠した様子を示しており、図１（ｂ）や図３には、上記収納状態のままオットマン２を前方に所定距離ｄだけ押し出した様子を示している。図３等に示すように、上記収納状態において、下腿保持部Ａはその下腿保持面５を下方に向けた姿勢（以下「下向き姿勢」という）で位置し、足先保持部Ｂはその足先保持面６を後方に向けた姿勢（以下「後ろ向き姿勢」という）で位置する。そして、この下向き姿勢にある下腿保持部Ａの前端部分（使用時に上端側となる部分）を、足先保持部Ｂの左右の外壁９間に収めることで、全体をコンパクト化している。
【００２５】
上記収納状態において、下腿保持部Ａの切り欠き部分１０は該下腿保持部Ａの前端部分に位置し、足先保持部Ｂの両外壁９間に下腿保持部Ａの切り欠き部分１０が位置する配置となる。したがって、上記収納状態のままオットマン２を前方に所定距離ｄだけ押し出すと、図３に示すように切り欠き部分１０が外部に露出することとなる。
【００２６】
そして、図３に示す状態からオットマン２全体を更に前方へと押し出すと、足先保持部Ｂはそのまま前方にスライド移動するのに対して、下腿保持部Ａは、前方へのスライドを途中で規制されるとともに先端部分を上方に持ち上げるように回転し始める（図１（ｃ）中の矢印ａ参照）。下腿保持部Ａは、その下腿保持面５が前斜め上方に向く姿勢（以下「最大回転姿勢」という）となるまで、足先保持部Ｂとは独立して回転可能である。下腿保持部Ａは、最大回転姿勢となった時点で、図１（ｃ）や図４に示すように、その上端部を座部１上面に対して最も近接させる。この最大回転姿勢もしくは該最大回転姿勢の近傍に下腿保持部Ａがあるときに、使用者の左右の下腿部分を下腿保持部Ａの溝部内に嵌め込み、更に左右の足先部分を足先保持部Ｂ上に乗せることで、オットマン２を使用する。
【００２７】
なお、本例のオットマン２においては下腿保持部Ａに限らず、足先保持部Ｂについても独立に回転可能である。足先保持部Ｂは、その爪先側を前方に倒すように回転させることができ（図１（ｃ）の矢印ｂ参照）、足先保持面６を後方に向けた後ろ向き姿勢と、足先保持面６を上方に向けた姿勢（以下「上向き姿勢」という）との間で回転自在になっている。なお、足先保持部Ｂに対しては、該足先保持部Ｂの爪先側が座部１に近づく方向に回転付勢力を与えてあるので、外力を付与しない場合には足先保持部Ｂは後ろ向き姿勢に維持される。
【００２８】
オットマン２を収納させる場合には、オットマン２を座部１下方から引き出す際とは逆の手順による。すなわち、図１（ｃ）や図４に示す使用状態から下腿保持部Ａおよび足先保持部Ｂを後方にスライドさせていくと、最大回転姿勢あるいは該最大回転姿勢の近傍にあった下腿保持部Ａが先端部分を前方に倒すように回転し始める。下腿保持部Ａが下向き姿勢にまで回転すると、この時点で、下腿保持部Ａは図１（ｂ）や図３に示すように足先保持部Ｂと一部嵌合した収納状態に至り、この収納状態のまま後方にスライドすることで、座部１の下方に収納される。
【００２９】
以上、オットマン２を形成する下腿保持部Ａおよび足先保持部Ｂの基本的な形状および挙動について述べた。以下においては、上記挙動を行うように下腿保持部Ａおよび足先保持部Ｂを支持する収納支持機構２７について、図５〜図１０に基づいて更に詳述する。
【００３０】
図５、図７にはマッサージ機全体のフレーム構造を示している。図５に示す状態は、オットマン２を収納状態で座部１下方に収納させた状態であり、図７に示す状態は、オットマン２を最も前方にスライドさせて下腿保持部Ａを最大回転姿勢にまで回転させた状態である。図示のように、座部１を成す座フレーム１１は、その前後左右から下方に向けて延設された支持脚１２を有している。また、上記座フレーム１１に対して、背もたれ部３を成す背もたれフレーム１３を連結させて設けている。
【００３１】
そして、下腿保持部Ａおよび足先保持部Ｂを支持する収納支持機構２７として、オットマン２全体を支持するスライドフレーム１４を支持脚１２に対して前後スライド自在に連結させ、該スライドフレーム１４に対して下腿保持部Ａおよび足先保持部Ｂを左右軸中心に回転自在に連結させている。したがって、下腿保持部Ａおよび足先保持部Ｂは共に座部１に対して前後スライド自在であり、且つ、互いに独立して回転自在である。更に、上記収納支持機構２７は、下腿保持部Ａおよび足先保持部Ｂの前方へのスライドと連動して該下腿保持部Ａを回転させる後述の回転駆動手段２２を備えている。
【００３２】
スライドフレーム１４を座部１に対してスライド自在に連結させる機構は、図９に示すようなレール部材１５とコロ部材１６とから成る。レール部材１５は左右で一対を成すように支持脚１２に固定したものであり、コロ部材１６はスライドフレーム１４の左右両側に二つずつ設けたものである。各コロ部材１６は、対応するレール部材１５内に転動自在に配置される。
【００３３】
下腿保持部Ａを成す下腿保持フレーム１７は、スライドフレーム１４の前側部分から上方に延設した左右一対の支持柱１８に対して、回転軸１９を中心として回動自在に連結される。この下腿保持部Ａ用の回転軸１９は、左右方向を軸方向とするように支持柱１８の上端部に設けたものである。また、足先保持部Ｂを成す足先保持フレーム２６は、スライドフレーム１４の前端部分から前方に延設した左右一対の支持柱２０に対して、回転軸２１を中心として回動自在に連結される。この足先保持部Ｂ用の回転軸２１は、左右方向を軸方向とするように支持柱２０の前端部に設けたものである。なお、下腿保持部Ａ用の支持柱１８と足先保持部Ｂ用の支持柱２０とでは、足先保持部Ｂ用の支持柱２０の方が前方に位置するように設けている。そのため、下腿保持部Ａ用の回転軸１９に対して、足先保持部Ｂ用の回転軸２１が前斜め下方に位置するようになっている。
【００３４】
下腿保持部Ａは、特に外力が作用しない場合には下向き姿勢を維持するようにその全体の重心の位置を設置している。この下腿保持部Ａを下向き姿勢から回転させるための回転駆動手段２２は、座フレーム１１と下腿保持フレーム１７とをつなぐように配置した連結部材２３である。連結部材２３は、可撓性を有する紐状の部材から成る。
【００３５】
下腿保持フレーム１７に対して連結部材２３の一端側が固定される箇所は、下腿保持部Ａが下向き姿勢にあるときの下腿保持フレーム１７において、回転軸１９よりも前側となる箇所である（図６参照）。また、連結部材２３の一端側が下腿保持フレーム１７に固定される箇所は、連結部材２３の他端側が座フレーム１１に固定される箇所と比較して前斜め下方に位置するように設けている。
【００３６】
オットマン２が座部１下方に収納されるときには、連結部材２３は撓んだ状態にあり、オットマン２全体が所定距離ｄだけ突出するようにスライドフレーム１４を前方に押し出した時点で、連結部材２３は前後方向に張った状態になる。ここで更にスライドフレーム１４を押し出すと、連結部材２３に働く張力が下腿保持フレーム１７（即ち下腿保持部Ａ全体）を回転させるように働く。そして、スライドフレーム１４を最も前方にまで押し出した時点で、下腿保持部Ａは最大回転姿勢に至る（図７、図８参照）。
【００３７】
足先保持部Ｂには、該足先保持部Ｂに対して回転付勢力を与える回転付勢手段２４として、回転軸２１にねじりバネ２５を配置している。このねじりバネ２５は、足先保持フレーム２６（即ち足先保持部Ｂ全体）に対して、その爪先側を座部１に近ける方向に回転付勢力を与えるものである。したがって、足先保持部Ｂが有する足先保持面６を足裏で押し込むと、該足先保持部Ｂは爪先側を前方に倒すように回転し、足裏の押し込みを戻せば、これに伴って足先保持部Ｂは爪先側を起こすように復帰する。
【００３８】
更に、一例のマッサージ機は、座部１下方の収納位置に上記オットマン２を仮固定するためのロック機構３０と、該ロック機構３０による仮固定を解除する解除機構３１と、上記オットマン２を収納位置から所定距離ｄだけ前方に押し出すための付勢手段３２とを備えている。
【００３９】
ロック機構３０は、座フレーム１１と連結するレール部材１５側に設けてあるストッパ３３と、オットマン２と連結するスライドフレーム１４側に固定してあるストッパ受け３４とから成る。ストッパ３３は、揺動アーム３５を介してレール部材１５に取り付けられており、揺動アーム３５の揺動によって、ストッパ受け３４に当たる下方位置と、ストッパ受け３４には当たらない上方位置との間で、切替自在になっている。なお、揺動アーム３５は、ストッパ３３を下方位置に保持するようにバネ付勢されている。
【００４０】
解除機構３１は、上記揺動アーム３５と、座フレーム１１に設置されるレバー３６と、レバー３６および揺動アーム３５をつなぐワイヤ３７とから成る。レバー３６の操作部３８を上方に引っ張り上げると、ワイヤ３７を介して揺動アーム３５が所定方向に揺動し、ストッパ３３をストッパ受け３４とは当たらない上方位置に移動させる。
【００４１】
付勢手段３２は、レール部材１５とスライドフレーム１４との間に介在するコイルバネ３９から成る。コイルバネ３９は、スライドフレーム１４が座部１下方の収納位置にあるときには圧縮状態となって該スライドフレーム１４に前方への付勢力を与える。スライドフレーム１４が上記所定距離ｄだけ前方に移動したときに、コイルバネ３９の与える付勢力は、スライドフレーム１４の前進に対して大きな影響を与えない程度となる。
【００４２】
オットマン２が収納位置にあるときには、ストッパ３３をストッパ受け３４に係合させることでスライドフレーム１４の移動を禁止させておく。オットマン２を使用するときには、レバー３６を操作してストッパ３３を持ち上げ、ストッパ受け３４との係合を解除させる。この解除と連動して、コイルバネ３９の付勢力によってオットマン２全体を所定距離ｄだけ前方に突出させることができる。
【００４３】
上記構成から成る本例のマッサージ機によれば、以下に述べるようにしてオットマン２をセットして使用し、使用後は手軽に且つコンパクトに収納させておくことができる。
【００４４】
まず、使用者は使用に際し、オットマン２を収納させた状態のマッサージ機の座部１上に着座する。座部１の側方からは、レバー３６の操作部３８と連結した引張り部材４０（図２等参照）を露出させており、この引張り部材４０を上方に引っ張ることでストッパ３３による仮固定を解除し、コイルバネ３９の付勢力によってオットマン２全体を所定距離ｄだけ前方に押し出させる。このとき、下腿保持部Ａの先端部分に設けてある切り欠き部分１０が図３に示すように露出する。使用者は左右両側の切り欠き部分１０を通じて足先部分を上方から挿入し、挿入した足先部分の足裏を、足先保持部Ｂの足先保持面６に押し当てる。このとき、足先保持部Ｂは前方に回転し（図１（ｃ）の矢印ｂ参照）、使用者の足首の角度にフィットするように変位する。
【００４５】
ここで、使用者がそのまま足裏を前方に押し出すと、スライドフレーム１４を介して下腿保持部Ａと足先保持部Ｂは共に前進する。下腿保持部Ａについては、途中から連結部材２３によって前進を規制されるとととも回転駆動力を付与され、先端部分を上方に持ち上げるように回転してセットされる（図中の矢印ａ参照）。下腿保持部Ａは、座部１の前端部分を迂回するように下方から回転してセットされるので、使用者の脚部に当たることなく、また大きなスペースを要することもなく、使用状態まで円滑にセットされる。
【００４６】
下腿保持部Ａに設けてある凹状の切り欠き部分１０は、使用時には下腿保持部Ａの上端側に位置することとなる。この切り欠き部分１０によって、使用者のふらはぎ部分が下腿保持部Ａに当たって不快感を与えることも防止される。
【００４７】
そして、使用者は図４のようにオットマン２をセットした状態で、例えば下腿保持部Ａや足先保持部Ｂに配置したエアバッグ等の適宜の施療手段によって、脚部にマッサージを施すことができる。このとき、使用者の体型に合わせて下腿保持部Ａや足先保持部Ｂの姿勢や位置は容易に変更できるので、使用者がどのような体型であっても良好なマッサージが提供される。
【００４８】
例えば、使用者が小柄である場合には、足先保持部Ｂは最も前方にまでは押し込まれることがなく、更に、足先保持部Ｂの押し込みに連動して回転する下腿保持部Ａについても、最大回転姿勢までは回転されることがない。つまり、足先保持部Ｂの足先保持面６は座部１に比較的近く、下腿保持部Ａの下腿保持面５は大きく後方に傾倒することのない角度に保持される。したがって、小柄な使用者に対しても良好にフィットする。
【００４９】
一方、使用者が大柄である場合には、足先保持部Ｂを最も前方にまで押し込むことで、下腿保持部Ａについても最大回転姿勢まで回転させることができる。つまり、足先保持部Ｂの足先保持面６は座部１から離れて位置させることができ、下腿保持部Ａの下腿保持面５は最も大きく後方に傾倒した角度に保持できる。したがって、大柄な使用者に対しても良好にフィットする。
【００５０】
オットマン２の使用を終えて収納しようとする場合にも、使用者は脚部のみの操作で、容易に座部１下方に収納させることができる。具体的には、まず使用者が足先保持部Ｂの足先保持面６から足裏を離し、足先保持部Ｂを後ろ向き姿勢に復帰させる。ここで、後ろ向き姿勢にある足先保持部Ｂの前面（即ち、足先保持面６と反対側に形成される平坦面）に対して使用者が自らの脚部の踵側を押し当て、そのまま後方へと足先保持部Ｂを押し込む。すると、スライドフレーム１４と下腿保持部Ａは共に後方に押し込まれてゆく。このとき、連結部材２３による強制的な回転が解除されることで、下腿保持部Ａは自重により回転して下向き姿勢に復帰し、オットマン２全体が図２に示すような収納状態に戻る。
【００５１】
ここから更に、コイルバネ３９の付勢力に抗しながら踵部分で足先保持部Ｂを後方に押し込むと、ストッパ３３はスライドフレーム１４側に設けたストッパ受け４４に一旦乗り上げた後に該ストッパ受け４４と係合し、座部１下方の収納位置にてオットマン２全体を仮固定させる。座部１下方で仮固定されたオットマン２は、下腿保持部Ａの前方に蓋をするように足先保持部Ｂが位置し、この足先保持部Ｂの平坦な前面部分のみが前方から視認可能となる。したがって、マッサージ機全体のデザイン性が良好に保持される。
【００５２】
なお、上記したマッサージ機において、スライドフレーム１４の前後スライドや、下腿保持部Ａや足先保持部Ｂの回転を電動で行う構造としてもよい。また、下腿保持部Ａのみから成るオットマン２が座部１下方に収納される構造であってもよいし、或いは、足先保持部Ｂが下腿保持部Ａと一体に回転しながら座部１下方に収納される構造であってもよい。その他の構成についても、本発明の主旨を逸脱しない範囲内であれば適宜に設計変更可能である。
【図面の簡単な説明】
【００５３】
【図１】本発明の実施形態における一例のマッサージ機の側面図であり、（ａ）はオットマン収納時、（ｂ）オットマン突出時、（ｃ）はオットマン使用時を示している。
【図２】同上のマッサージ機のオットマン収納時の全体斜視図である。
【図３】同上のマッサージ機のオットマン突出時の要部斜視図である。
【図４】同上のマッサージ機のオットマン使用時の要部斜視図である。
【図５】同上のマッサージ機のオットマン収納時のフレーム構造を示す全体斜視図である。
【図６】同上の要部側面図である。
【図７】同上のマッサージ機のオットマン使用時のフレーム構造を示す全体側面図である。
【図８】同上の要部斜視図である。
【図９】同上のマッサージ機の正面断面図である。
【図１０】同上のマッサージ機に備えるロック機構を示す要部斜視図である。
【図１１】従来のマッサージ機の説明図である。
【符号の説明】
【００５４】
１  座部
２  オットマン
５  下腿保持面
１０  切り欠き部分
２２  回転駆動手段
２３  連結部材
【図１】
2010075421.tif 000003
【図２】
2010075421.tif 000004
【図３】
2010075421.tif 000005
【図４】
2010075421.tif 000006
【図５】
2010075421.tif 000007
【図６】
2010075421.tif 000008
【図７】
2010075421.tif 000009
【図８】
2010075421.tif 000010
【図９】
2010075421.tif 000011
【図１０】
2010075421.tif 000012
【図１１】
2010075421.tif 000013